(57)【要約】【課題】省スペース化を図ることができる情報コンセントを提供することにある。【解決手段】情報コンセント１は、長方形状の開口窓４ａを中央部に有する取付枠４と、開口窓４ａから前面を露出させた状態で取付枠４に取り付けられるモジュラ部２及び光コンセント部３とを有し、取付枠４の開口窓４ａの長手方向の１／３を占める寸法を１個モジュール寸法と規定するとき、モジュラ部２は、１個モジュール寸法に形成されモジュラケーブル用の第１の差込口２２ｂを前面側に有する第１の器体２０を備え、光コンセント部３は、２個モジュール寸法に形成され光ケーブル用の第２の差込口３０ｂを前面側に有する第２の器体３０と、一端側に形成された光ケーブル用接続口Ｃ１を水平方向に対して斜め下方向に向けるとともに第２の差込口３０ｂから第２の器体３０外部に臨ませた状態で第２の器体３０に収納され、他端側に光ケーブル７が接続される光接続具３１とを備える。【選択図】図１
2007195293.tif 000002
【特許請求の範囲】
【請求項１】
長方形状の開口窓を中央部に有する取付枠と、該取付枠の開口窓から前面を露出させた状態で前記取付枠に取り付けられる埋込設置用の配線器具及び光コンセント部とを有し、前記取付枠の前記開口窓の長手方向の１／３を占める寸法を１個モジュール寸法と規定するとき、前記配線器具は、１個モジュール寸法に形成され、対応するケーブル用の第１の差込口を前面側に有する第１の器体を備え、前記光コンセント部は、２個モジュール寸法に形成され光ケーブル用の第２の差込口を前面側に有する第２の器体と、一端側に形成された光ケーブル用接続口を水平方向に対して斜め下方向に向けるとともに前記第２の差込口から前記第２の器体外部に臨ませた状態で前記第２の器体に収納され、他端側に光ケーブルが接続される光接続具とを備えていることを特徴とする情報コンセント。
【請求項２】
前記配線器具と前記光コンセント部は、前記配線器具が前記光コンセント部の上方に位置した状態で前記取付枠に取り付けられ、前記第１の器体の後面側には、前記光接続具の他端側に接続される光ケーブル用の逃げ溝が形成されていることを特徴とする請求項１に記載の情報コンセント。
【請求項３】
前記配線器具の第１の差込口は、モジュラケーブル用のものであって、第１の器体内には、第１の差込口から差し込まれたモジュラケーブルと接続されるモジュラジャックが設けられていることを特徴とする請求項１又は２に記載の情報コンセント。
【発明の詳細な説明】
【技術分野】
【０００１】
本発明は、光ケーブル等の情報通信用の接続線が接続される情報コンセントに関するものである。
【背景技術】
【０００２】
従来から、電話回線や、ＬＡＮ等に接続して情報通信を行うために、壁面等の施工面に情報コンセントを設置することが行われており、このような情報コンセントは、取付枠に、電話回線用のモジュラジャックや、ＬＡＮ用のモジュラジャック等を備える配線器具を取り付けることで構成されている。
【０００３】
ところで、近年では光通信の普及に伴って、光ファイバを用いて情報通信を行うための光コンセントを有する情報コンセントの需要が拡大しており、このような光通信用の情報コンセントとしては、長方形状の開口窓を中央部に有して壁面等の施工面に取り付けられる取付枠と、取付枠を前面側から覆う化粧プレートと、取付枠に取り付けられる光コンセントとを備えるものが提供されている（例えば、特許文献１）。
【特許文献１】特開２００５−７３３６６号公報（第１図）
【発明の開示】
【発明が解決しようとする課題】
【０００４】
しかしながら、従来の光ファイバー用の情報コンセントに用いられている光コンセントは、取付枠の開口窓の長手方向の１／３を占める寸法を１個モジュール寸法と規定するとき、その器体の寸法が、３個モジュール寸法に形成されているので、１つの取付枠には、１つの光コンセントしか取り付けることができず、１つの取付枠に他の配線器具を取り付けることができなかった。
【０００５】
そのため、光ファイバーとともに電話回線用（例えばＩＳＤＮ用）やＬＡＮ用のモジュラケーブルも接続したい場合には、別途電話線用やＬＡＮ用のモジュラジャックのために新たに取付枠を設けるか、或いは取付枠として開口窓を複数備えているものを用いなくてはならなかった。
【０００６】
つまり、従来では、モジュラジャックと光ファイバとを接続可能な情報コンセントを構成する場合、光コンセントと、電話線用等のモジュラジャックを備える配線器具とを設置するために壁面等の施工面に広大なスペース（取付枠を２つ取り付けるためのスペースや、開口窓を２つ備える取付枠を取り付けるためのスペース等）を必要とし、これにより、見栄えが悪くなるだけではなく、取付枠や埋め込みボックスにかかるコスト等が増加してしまうという問題があった。
【０００７】
本発明は上述の点に鑑みて為されたもので、その目的は、省スペース化を図ることができる情報コンセントを提供することにある。
【課題を解決するための手段】
【０００８】
上述の課題を解決するために、請求項１の情報コンセントの発明では、長方形状の開口窓を中央部に有する取付枠と、該取付枠の開口窓から前面を露出させた状態で前記取付枠に取り付けられる埋込設置用の配線器具及び光コンセント部とを有し、前記取付枠の前記開口窓の長手方向の１／３を占める寸法を１個モジュール寸法と規定するとき、前記配線器具は、１個モジュール寸法に形成され、対応するケーブル用の第１の差込口を前面側に有する第１の器体を備え、前記光コンセント部は、２個モジュール寸法に形成され光ケーブル用の第２の差込口を前面側に有する第２の器体と、一端側に形成された光ケーブル用接続口を水平方向に対して斜め下方向に向けるとともに前記第２の差込口から前記第２の器体外部に臨ませた状態で前記第２の器体に収納され、他端側に光ケーブルが接続される光接続具とを備えていることを特徴とする。
【０００９】
請求項２の情報コンセントの発明では、請求項１の構成に加えて、前記配線器具と前記光コンセント部は、前記配線器具が前記光コンセント部の上方に位置した状態で前記取付枠に取り付けられ、前記第１の器体の後面側には、前記光接続具の他端側に接続される光ケーブル用の逃げ溝が形成されていることを特徴とする。
【００１０】
請求項３の情報コンセントの発明では、請求項１又は２の構成に加えて、前記配線器具の第１の差込口は、モジュラケーブル用のものであって、第１の器体内には、第１の差込口から差し込まれたモジュラケーブルと接続されるモジュラジャックが設けられていることを特徴とする。
【発明の効果】
【００１１】
請求項１の情報コンセントの発明は、配線器具の第１の器体が１個モジュール寸法に形成されるとともに、光コンセント部の第２の器体が２個モジュール寸法に形成されているから、配線器具と光コンセント部を一の開口窓を有する取付枠に取り付けることができる。そのため配線器具と光コンセント部とを壁面等の施工面に埋め込み設置する際に、１つの取付枠用のスペースしか必要としないから、従来とは異なり取付枠２つ分のスペースや開口窓を複数有する取付枠用のスペースを必要としなくなり、結果として見栄えが良くなるとともに、取付枠や埋め込みボックスにかかるコスト等の増加を抑制できるという効果を奏する。さらに、光コンセント部の光接続具は、光ケーブル用接続口を水平方向に対して斜め下方向に向けた状態で第２の器体に収納されているから、第２の器体の厚み（前後方向の厚み）を薄くできるという効果を奏し、しかも光接続具の光ケーブル用接続口に光ケーブルを接続した際には、光ケーブル用接続口が水平方向に向いている場合に比べて光ケーブルの曲げを弱くできるという効果を奏する。加えて、光接続具の他端側が水平方向に対して斜め上方向を向いていることによって、他端側が水平方向を向いている場合に比べて、光接続具の他端側に接続される光ケーブルにおける光コンセント部から後方への突出量を低減でき、しかも光ケーブルの曲げを弱くすることができ、これにより光ケーブルの破損を防止することができるという効果を奏する。
【００１２】
請求項２の情報コンセントの発明は、光接続具の他端側に接続された光ケーブルを、第１の器体の後面側に形成された溝部内に通すことができるので、第１の器体が邪魔になることがなくなり、これにより第１の器体を避けるように光ケーブルを引き回さなくて済むから、光ケーブルにおける光コンセント部からの突出量をさらに低減できて、その結果、施工面の内側（裏側）が狭い場合であっても、情報コンセントを取り付けることができるという効果を奏する。
【００１３】
請求項３の情報コンセントの発明は、光ケーブルだけではなく、モジュラケーブルを接続できるという効果を奏する。
【発明を実施するための最良の形態】
【００１４】
以下に、本発明の情報コンセント１の一実施形態について図１〜図５を参照して説明する。尚、本実施形態の説明では、図２（ａ）における上方を情報コンセントの上方、図２（ａ）における下方を情報コンセントの下方、図２（ａ）における左方向を情報コンセントの右方、図２（ａ）における右方を情報コンセントの左方、図２（ａ）における紙面奥方を情報コンセントの後方、図２（ａ）における紙面手前方を情報コンセントの前方と規定する。
【００１５】
本実施形態の情報コンセント１は、図１に示すように、長方形状の開口窓４ａを中央部に有する矩形枠状の取付枠４と、該取付枠４の開口窓４ａから前面を露出させた状態で取付枠４に取り付けられるモジュラ部２及び光コンセント部３とを有している。尚、以下の説明では、取付枠４の開口窓４ａの長手方向（図１における上下方向）の１／３を占める寸法（言い換えれば、開口窓４ａの長手方向に３個並べて取付枠４に取付可能な寸法）を１個モジュール寸法と規定する。
【００１６】
まず、モジュラ部２や光コンセント部３等の配線器具を壁面等の施工面Ｘに取り付けるために用いられる取付枠４について説明する。取付枠４は、例えば、ＪＩＳ規格で規格化されている大角形連用配線器具の１連用のものであって、例えば、合成樹脂を用いて、中央部に配線器具の前面を露出させる長方形状の開口窓４ａを有する略矩形枠状に形成されている。尚、このような取付枠４は、勿論、他の規格によるものであってもよい。また尚、取付枠４は、略矩形枠状のものに限らず、例えば、長方形状の開口窓４ａを有する円盤状のものであってもよく、開口窓４ａを有していればよい。
【００１７】
さらに詳しく説明すると、取付枠４は、図２（ａ）〜（ｆ）に示すように、例えば合成樹脂等を用いて、互いに並行する長尺状の一対の枠片４０，４０と、一対の枠片４０，４０の一端部同士及び他端部同士をそれぞれ連結する横片４１，４１とを一体に備え、これら枠片４０，４０及び横片４１，４１で囲まれた中央部が、開口窓４ａとして用いられる。各枠片４０，４０には、配線器具の取り付けに用いられる一対の取付片４２，４２がそれぞれ後方に突設されており、これら取付片４２，４２には、一対の取付孔４２ａ，４２ａが３組形成されている。各横片４１，４１の中央部には、取付枠４を施工面Ｘに埋込配置された埋め込みボックス６に取り付けるためのボックスねじ（図示せず）が挿通されるボックス用孔４１ａと、プレート部５を取り付けるためのプレートねじ（図示せず）が螺着されるプレートねじ孔４１ｂとが形成されている。
【００１８】
ここで、埋め込みボックス６は、施工面Ｘの裏面側に固定されているものであって、例えば図１に示すように、合成樹脂を用いて前面が開口した箱状に形成された本体６０を有している。この本体６０には、取付枠４のボックス用孔４１ａ，４１ａをそれぞれ挿通したボックスねじ（図示せず）が取り付けられるねじ孔６０ａ，６０ａが設けられている。さらに、本体６０には、電話回線用の接続線や、ＬＡＮ用接続線や、光ケーブル（光ファイバケーブル）等の外部の接続線を本体６０内に挿入するための接続線挿入孔（図示せず）が形成されている。尚、このような埋め込みボックス６の本体６０に上記のような接続線を挿入する際には、上記接続線挿入孔から粉塵等が侵入しないように防気カバー等を設けるようにしてもよい。また尚、埋め込みボックス６は、情報コンセント１を施工面Ｘに埋め込み設置する際に必須のものではなく、埋め込みボックス６を用いずに取付枠４を直接施工面Ｘに固定することによって情報コンセント１を施工面Ｘに設置するようにしてもよい。
【００１９】
また、プレート部５は、図１に示すように、ともに合成樹脂材料からなるプレート枠５０と、化粧プレート５１とで構成されている。プレート枠５０は、情報コンセント１の前面側（つまりは、モジュラ部２と光コンセント部３の前面側）を前方に臨ませる長方形状の窓孔（図示せず）を中央部に備えた縦長の略矩形枠状に形成されている。また、プレート枠５０には、取付枠４の各プレートねじ孔４１ｂとそれぞれ連通する一対のねじ挿通孔５０ａ，５０ａが形成されており、このねじ挿通孔５０ａ，５０ａを挿通したプレートねじを取付枠４のプレートねじ孔４１ｂ，４１ｂにそれぞれ螺着することで、プレート枠５０が取付枠４に取り付けられるようになっている。さらに、プレート枠５０には、化粧プレート５１を取り付けるための取付孔（図示せず）が左右両側に３つずつ設けられている。
【００２０】
一方、化粧プレート５１は、美感を向上させるためにプレート枠５０の前面側に取り付けられるものであって、例えば、プレート枠５０の窓孔と連通して情報コンセント１の前面側を露出させる窓孔５１ａを中央部に有してプレート枠５０を覆う略矩形枠状に形成されている。この化粧プレート５１の後面側には、プレート枠５０の取付孔にそれぞれ取り付けられる取付爪（図示せず）が突設されている。
【００２１】
次に、取付枠４に取り付けられるモジュラ部２及び光コンセント部３について説明する。モジュラ部２は、電話回線用のモジュラケーブル（図示せず）を接続するための埋め込み用配線器具であって、図１及び図２（ａ）〜（ｆ）に示すように、１個モジュール寸法に形成され、対応するケーブルであるモジュラケーブル用の第１の差込口２２ｂを前面側に有する第１の器体２０と、第１の差込口２２ｂから第１の器体２０外部に臨み、第１の差込口２２ｂから差し込まれたモジュラケーブルが接続されるモジュラジャック（図示せず）とを備えている。
【００２２】
第１の器体２０は、図１及び図２（ａ）〜（ｆ）に示すように、合成樹脂を用いて１個モジュール寸法に形成されているものであって、前面が開口した箱状のボディ２１と、ボディ２１の前面開口を閉塞するようにボディ２１に被着されるカバー２２とで構成されている。
【００２３】
ボディ２１は、上述したように前面が開口した箱状のものであって、図１及び図２（ｆ）に示すように、その左右方向の両側面には、リブ２１ａ，２１ａが一体に突設されており、このリブ２１ａ，２１ａには、前後方向に貫通する係止孔２１ｂがそれぞれ１つずつ設けられている。また、ボディ２１の後面側（裏面側）には、図２（ｆ）に示すように、中央部に、上下方向が開口した溝部２１ｃが形成され、この溝部２１ｃを挟んで対向するように各一対の挿入孔２１ｄ，２１ｄが形成されている。この挿入孔２１ｄは、ボディ２１内に形成されるモジュラジャック（図示せず）に外部の電話回線用の接続線（図示せず）を接続するために用いられる。ボディ２１には、図２（ｄ）〜（ｆ）に示すように、その左右両側面及び後面を利用して、解除レバー２１ｅ，２１ｅが各一対の挿入孔２１ｄ，２１ｄにそれぞれ対応して設けられている。さらに、ボディ２１の溝部２１ｃの底面における下端側には、図２（ｆ）に示すように、上記の挿入孔２１ｄに電話回線用の接続線を差し込む際に、接続線の被覆部を剥がして露出させる芯線の長さ寸法を規定の長さ寸法にするためのストリップゲージ２１ｆが形成されている。
【００２４】
ところで、ボディ２１内部において、カバー２２の第１の差込口２２ｂと対向する空間部には、電話回線用のモジュラケーブルを接続するためのモジュラジャック（図示せず）が構成される。尚、このようなモジュラジャックの構成は従来周知のものであるからここでは説明を省略する。また、ボディ２１内部において、各一対の挿入孔２１ｄ，２１ｄと対向する空間部には、板ばね（図示せず）及び鎖錠ばね（図示せず）が収納されて、これら板ばね（図示せず）及び鎖錠ばね（図示せず）とから所謂速結端子が構成される。そして、このような速結端子によれば、挿入孔２１ｄに挿入した上記接続線等の抜けを防止できるのである。さらに、速結端子は、上記のモジュラジャックと電気的に接続されており、これにより上記接続線を、モジュラジャックに電気的に接続できるようになっている。尚、上記鎖錠ばねは、ボディ２１に形成された解除レバー２１ｅに対しても対向するように配置されており、解除レバー２１ｅを押し込むことによって、鎖錠ばねを撓ませて、速結端子に接続した上記接続線を、挿入孔２１ｄから引き抜くことができるようになっている。
【００２５】
カバー２２は、後面が開口した箱状に形成されており、図２（ａ）に示すように、その前面には第１の器体２０を取付枠４に取り付けた際に、取付枠４の開口窓４ａから前方に突出するボス部２２ａが形成されている。このボス部２２ａの中央部には、ボス部２２ａの前後に貫通する第１の差込口２２ｂが設けられており、この第１の差込口２２ｂは、電話回線用のモジュラケーブルを第１の器体２０内に差し込むために用いられる。また、カバー２２の左右方向両側面には、図２（ｆ）に示すように、ボディ２１のリブ２１ａ，２１ａとそれぞれ対応するリブ２２ｃ，２２ｃが一体に突設されており、各リブ２２ｃの後面側には、リブ２１ａの係止孔２１ｂに挿入された状態で、リブ２１ａに引掛係止される係止爪２２ｄが一体に突設されている。したがって、ボディ２１とカバー２２は、カバー２２の係止爪２２ｄ，２２ｄをボディ２１のリブ２１ａ，２１ａにそれぞれ引掛係止することによって、結合されるようになっている。さらに、カバー２２の左方のリブ２２ｃにおける左側面には、図１に示すように、取付枠４の一対の取付孔４２ａ，４２ａとそれぞれ凹凸嵌合する一対の取付爪２２ｅ，２２ｅが一体に突設されている。この点は、カバー２２の右方のリブ２２ｃにおいても同様である。そして、このカバー２２の差込口２２ｂには、モジュラケーブルを接続していない際に、モジュラジャック内に埃やゴミ等が侵入することを防止するためのシャッター部２３が、上下方向にスライド自在に設けられており、これにより必要に応じて差込口２２ｂを開閉できるようになっている。
【００２６】
上記の部材によりモジュラ部２は構成されており、これらは次のようにして組み立てられる。すなわち、ボディ２１内に、上記板ばねと、上記鎖錠ばねとを収納して速結端子を構成するとともに、モジュラジャック用の部材を収納してモジュラジャックを構成する。そして、ボディ２１の各リブ２１ａ，２１ａと、カバー２２のリブ２２ｃ，２２ｃとを用いてボディ２１と、予めシャッター部２３が取り付けられたカバー２２とを結合することによって、図１及び図２（ａ）〜（ｆ）に示すようなモジュラ部２が完成するのである。
【００２７】
一方、光コンセント部３は、図４（ａ）〜（ｃ）に示すように、２個モジュール寸法に形成され光ケーブル用の第２の差込口を前面側に有する第２の器体３０と、一端側に形成された光ケーブル用接続口Ｃ１を水平方向に対して斜め下方向（図４（ｃ）における左下方向）に向けるとともに第２の差込口３０ｂから第２の器体３０外部に臨ませた状態で第２の器体３０に収納され、他端側に形成された光ケーブル用接続口Ｃ２に光ケーブル７が接続される光接続具３１とを備えている。
【００２８】
尚、光ケーブル７は、接続用のフェルール（図示せず）を有する光通信用プラグ７０を光ファイバケーブル（図示せず）の端部に備えるとともに、光通信用プラグ７０と光ファイバケーブルとを固定して、光ファイバケーブルと光通信用プラグ７０との接続部分にかかる応力を緩和するための角筒状の把持部７１とを備えている。
【００２９】
まず、光接続具３１について簡単に説明する。光接続具３１は、例えば、ＪＩＳで規定されたＦ０４形（ＳＣ形とも呼ばれる）のアダプタであって、両端が開口した略角筒状のハウジング３１ａと、両端に光通信用プラグ（以下、単に「プラグ」と称する）７０のフェルール（図示せず）が着脱自在に嵌入されるスリーブ（図示せず）を備えたスリーブ保持部（図示せず）とを備えており、スリーブ保持部（図示せず）は、スリーブ（図示せず）の両端をハウジング３１ａの両側開口から外部に臨ませた状態で収納されている。これにより、光接続具３１は、光ケーブル用接続口Ｃ１，Ｃ２を両端側に有するように構成され、他端側に光ケーブル７が接続されることでレセプタクルを構成している。また、光接続具３１のハウジング３１ａの外側面には、外方へ突出するフランジ部３１ｂが一体に形成されている。
【００３０】
さらに、光接続具３１の一方の光ケーブル用接続口Ｃ１には、光ケーブル７を接続していないときに、ハウジング３１ａ内を遮光して、他方の光ケーブル用接続口Ｃ２に接続された光ケーブル７に光が入射しないように保護するための一対の扉部３２，３２が設けられている。この一対の扉部３２，３２は、一方の光ケーブル用接続口Ｃ１への光ケーブル７の差し込み方向に揺動自在に取り付けられるとともに、板ばね（図示せず）等を用いて、前記差し込み方向と反対方向に付勢されている。
【００３１】
したがって、光接続具３１に光ケーブル７を接続する際には、光ケーブル７のプラグ７０で一対の扉部３２，３２を板ばねの付勢に逆らって押圧することで扉部３２，３２押し開き、そのままプラグ７０を光接続具３１内に差し込むことによって、プラグ７０がスリーブに嵌合され、これにより光ケーブル７が光接続具３１に接続されることになる。一方、光ケーブル７を光接続具３１から引き抜いた際には、一対の扉部３２，３２が板ばねの付勢によって移動して光接続具３１の一方のハウジング３１ａにおける一方の開口（つまりは、一方の光ケーブル用接続口Ｃ１）を閉塞することになる。尚、ハウジング３１ａにおける一方の開口の近傍には、両扉部３２，３２がハウジング３１ａから外部へ突出しないようにするとともに、両扉部３２，３２が一方の開口を塞ぐ位置に位置させるカバー止め３１ｃが形成されている。
【００３２】
第２の器体３０は、図３（ａ）〜（ｆ）に示すように、合成樹脂を用いて２個モジュール寸法に形成されているものであって、後面が開口した箱状に形成されており、その前面の中央部には、第２の器体３０を取付枠４に取り付けた際に、開口窓４ａから前方へ突出する膨出部３０ａが一体に形成されている。この膨出部３０ａは、図３（ｄ），（ｅ）に示すように、前方に突出するほど上下方向の長さが短くなる略三角柱状に形成されており、膨出部３０ａにおいて面方向が斜め下方向となっている面Ｐには、図３（ａ），（ｃ）に示すように、第２の差込口３０ｂが貫設されている。さらに、膨出部３０ａの後面側には、図４（ｃ）に示すように、光接続具３１と当接して光接続具３１を位置決めするための位置決め用リブ３０ｃが一体に突設されている。
【００３３】
また、図３（ａ），（ｄ），（ｅ）に示すように、第２の器体３０の左右方向両側面には、取付枠４の一対の取付孔４２ａ，４２ａとそれぞれ凹凸嵌合する一対の取付爪３０ｄ，３０ｄが２組ずつ形成されている。加えて、図３（ｂ），（ｆ）に示すように、第２の器体３０の上側面には、光ケーブル７の把持部７１が嵌入される切欠部３０ｅが形成されており、第２の器体３０内における切欠部３０ｅの近傍には、光ケーブル７の把持部７１が嵌入されて、把持部７１を固定する固定用リブ３０ｆが設けられている。さらに、図４（ｂ），（ｃ）に示すように、第２の器体３０の下端側における左右内側面には、係止孔３０ｇを有する係止用リブ３０ｈがそれぞれ形成されている。
【００３４】
ところで、第２の器体３０に光接続具３１を収納する際には、光接続具３１を第２の器体３０に固定するために、押え板３３が用いられる。ここで、押え板３３は、図５（ｂ），（ｄ）に示すように、合成樹脂製のものであって、左右方向を長手方向とする平板部３３ａと、平板部３３ａの後面側における左右方向両端部には、第２の器体３０の係止孔３０ｇ，３０ｇに嵌合される係止部３３ｂ，３３ｂが一体に形成されている。また、平板部３３ａの前面側の中央部には、第２の器体３０の位置決め用リブ３０ｃとの間で光接続具３１を狭持するための当接部３３ｃが一体に突設されており、この当接部３３ｃには、光接続具３１のフランジ部３１ｂと係合するための段部３３ｄが形成されている。さらに、平板部３３ａの前面側の左右方向両端側には、光接続具３１のフランジ部３１ｂと当接することによって、第２の器体３０内における差込口３０ｂの周縁部との間で光接続具３１を狭持し、光接続具３１の長手方向の移動を防止する一対の移動防止リブ３３ｅ，３３ｅがそれぞれ一体に突設されている。また、この移動防止リブ３３ｅ，３３ｅは、左右方向において光接続具３１と当接するように構成されており、これによって光接続具３１が左右方向に移動してしまうことを規制している。
【００３５】
上記の部材により光コンセント部３は構成されており、これらは次のようにして組み立てられる。すなわち、光接続具３１は、図５（ｂ），（ｄ）に示すように、その一方の光ケーブル用接続口Ｃ１を斜め下方向（図４（ｃ）における左下方向）に向けるとともに、第２の差込口３０ｂから第２の器体３０外部に臨ませた状態で、第２の器体３０に収納される。この後に、押え板３３が、押え板３３の係止部３３ｂ，３３ｂを第２の器体３０の係止孔３０ｇ，３０ｇに嵌合させることで、第２の器体３０に取り付けられ、これにより図５（ａ），（ｃ）に示すような、光コンセント部３が完成するのである。そして、このようにして組み立てられた光コンセント部３では、光接続具３１が、第２の器体３０の位置決め用リブ３０ｃと、押え板３３の当接部３３ｃとによって挟まれているので、光接続具３１が第２の器体３０から脱落することが防止されている。さらに、押え板３３の一対の移動防止用リブ３３ｄ，３３ｄが光接続具３１のフランジ部３１ｂに当接することによって、第２の器体３０内における差込口３０ｂの周縁部との間で光接続具３１が狭持されて、光接続具３１の長手方向の移動が防止され、同時に移動防止用リブ３３ｄ，３３ｄが、左右方向において光接続具３１と当接することによって光接続具３１の左右方向の移動が防止されている。そのため、光接続具３１に光ケーブル７を接続する際に、光接続具３１がぐらついたりすることがなくなって、光ケーブル７の接続を容易に行うことができる。
【００３６】
以上述べた取付枠４と、モジュラ部２と、光コンセント部３とによって、本実施形態の情報コンセント１は構成されており、モジュラ部２と光コンセント部３とは、取付枠４に次のようにして取り付けられる。すなわち、モジュラ部２は、図１及び図２（ａ）〜（ｆ）に示すように、第１の器体２０の各一対の取付爪２２ｅ，２２ｅを、取付枠４の最も上側に位置する各一対の取付孔４２ａ，４２ａにそれぞれ凹凸嵌合することによって、ボス部２２ａを取付枠４の開口窓４ａから前方へ突出させた（言い換えれば、第１の器体２０の前面を取付枠４の開口窓４ａから前面に露出させた）状態で取付枠４に取り付けられる。そして、取付枠４の開口窓４ａにおける残りのスペースを用いて光コンセント部３が、光コンセント部３の４組の各一対の取付爪３０ｄ，３０ｄを、取付枠４の残り４組の各一対の取付孔２２ｅ，２２ｅにそれぞれ凹凸嵌合することによって、膨出部３０ａを取付枠４の開口窓４ａから前方へ突出させた（言い換えれば、第２の器体２０の前面を取付枠４の開口窓４ａから前面に露出させた）状態で取付枠４に取り付けられる。
【００３７】
このようにして図２（ａ）〜（ｆ）に示す情報コンセント１が得られ、この情報コンセント１の施工面Ｘへの埋め込み設置は、次のようにして行われる。まず、前面を施工面Ｘとして用いる壁部Ｗに適当な大きさのホールＨを形成し、壁部Ｗの後面に、埋め込みボックス６を取り付ける。次に、図示しない挿入孔を介して埋め込みボックス６内に挿入した外部の電話回線用の接続線をモジュラ部２の各挿入孔２１ｄに挿入して速結端子と接続するとともに、図示しない挿入孔を介して埋め込みボックス６内に挿入した光ケーブル７を光コンセント部３の他方の光ケーブル用接続口Ｃ２に接続する。このとき、他方の光ケーブル用接続口Ｃ２に接続された光ケーブル７は、その把持部７１が図１及び図４（ｂ）に示すように、第２の器体３０の切欠部３０ｅ及び固定用リブ３０ｆに嵌入され、これにより光ケーブル７の抜け止めが図られる。また、光接続具３１の他方の光ケーブル用接続口Ｃ２に光ケーブル７を接続する際に、第１の器体２０の後面側に形成された溝部２１ｃ内に光ケーブル７を通すことができるので、他方の光ケーブル用接続口Ｃ２に光ケーブル７を接続する際に、モジュラ部２の第１の器体２０が邪魔になることがない。
【００３８】
電話回線用の接続線及び光ケーブル７をそれぞれモジュラ部２及び光コンセント部３にそれぞれ接続した後には、取付枠４のボックス用孔４１ａ，４１ａをそれぞれ挿通させたボックスねじを埋め込みボックス６のねじ孔６０ａ，６０ａにそれぞれ螺着することによって、図１に示すように、情報コンセント１が施工面Ｘに埋め込み設置される。そして、プレート枠５０のねじ挿通孔５０ａ，５０ａを挿通したプレートねじを取付枠４のプレートねじ孔４１ｂ，４１ｂにそれぞれ螺着することで、プレート枠５０が取付枠４に取り付けられ、この後にプレート枠５０の取付孔に取付爪を係止することによって、化粧プレート５１がプレート枠５０の前面側に取り付けられており、化粧プレート５１の窓孔５１ａからは、情報コンセント１のモジュラ部２及び光コンセント部３の前面が露出している。
【００３９】
以上述べた情報コンセント１によれば、モジュラ部２と光コンセント部３とを備えているので、モジュラケーブルや光ケーブルの接続を行えるという効果を奏する。また、モジュラ部２の第１の器体２０が１個モジュール寸法に形成されるとともに、光コンセント部３の第２の器体３０が２個モジュール寸法に形成されているから、モジュラ部２と光コンセント部３を一のＪＩＳ規格で規格化されている大角形連用配線器具の１連用の取付枠に取り付けることができるという効果を奏する。
【００４０】
これによりモジュラ部２と光コンセント部３とを壁面等の施工面Ｘに埋め込み設置する際に、１連用の取付枠１つ分のスペースしか必要とせず、従来のように、１連用の取付枠２つ分のスペースや、２連用の取付枠用のスペースを必要とすることがなくなり、結果として、見栄えが良くなり、取付枠や埋め込みボックスにかかるコスト等の増加を抑制できるという効果を奏する。
【００４１】
特に、既設の電話回線用やＬＡＮ用の情報コンセントは、１個モジュール寸法のモジュラ部を１連用の取付枠に２つ取り付けて構成されている場合が多いので、取付枠からモジュラ部を１つ取り外して、代わりに上記の光コンセント部３を取り付ける作業を行うだけで、本実施形態の情報コンセント１の設置を行うことができる。これにより情報コンセント１を設置するために新たに取付枠を設けたり、１連用の取付枠を２連用の取付枠等に取り換える作業等を行わなくて済み、情報コンセント１の設置作業を非常に容易に行えるという効果を奏する。
【００４２】
さらに、光コンセント部３の光接続具３１は、光ケーブル用接続口Ｃ１を水平方向に対して斜め下方向に向けた状態で第２の器体３０に収納されているから、光ケーブル用接続口Ｃ１を水平方向に向けた場合に比べて、第２の器体３０の厚み（前後方向の厚み）を薄くできるという効果を奏する。加えて、光接続具３１の光ケーブル用接続口Ｃ２が水平方向に対して斜め上方向を向いていることによって、光ケーブル用接続口Ｃ２が水平方向を向いている場合に比べて、光ケーブル用接続口Ｃ２に光ケーブル７を接続した際に、光ケーブル７における光コンセント部３から後方への突出量を低減でき、しかも光ケーブル７の曲げを弱くすることができて、光ケーブル７の破損を防止することができるという効果を奏する。
【００４３】
また、モジュラ部２が光コンセント部３の上方に位置した状態で、モジュラ部２と光コンセント部３とを取付枠４に取り付けるとともに、モジュラ部２の第１の器体２０に溝部２１ｃを設けているから、光接続具３１の光ケーブル用接続口Ｃ２に光ケーブル７を接続する際に、第１の器体２０の後面側に形成された溝部２１ｃ内に光ケーブル７を通すことができる。そのため、光接続具３１の光ケーブル用接続口Ｃ２に光ケーブル７を接続する際に、第１の器体２０が光ケーブル７の接続の邪魔になることなくなる。これにより第１の器体２０を避けるように光ケーブル７を引き回さなくて済むから、光ケーブル７における光コンセント部３からの突出量をさらに低減できて、その結果、施工面Ｘの内側（裏側）が狭い場合であっても、情報コンセント１を取り付けることができるという効果を奏する。
【００４４】
尚、本実施形態では、モジュラ部２を電話回線用のモジュラケーブル用のモジュラジャックを備えているものとしたが、ＬＡＮ用のモジュラケーブル用のモジュラジャックを備えているものであってもよいし、その他の配線器具であってもよく、使用状況に応じて好適なものに変更すればよい。
【００４５】
また尚、本実施形態では、取付枠４を合成樹脂製のものとしたが、取付枠は、金属製のものを用いていもよいし、合成樹脂と金属とをあわせて用いるものであってもよい。
【図面の簡単な説明】
【００４６】
【図１】本発明の情報コンセントの一実施形態の概略断面図である。
【図２】（ａ）は、情報コンセントの前面図であり、（ｂ）は、上面図であり、（ｃ）は、下面図であり、（ｄ）は、右面図であり、（ｅ）は、左面図であり、（ｆ）は、後面図である。
【図３】（ａ）は、光コンセント部の器体の前面図であり、（ｂ）は、上面図であり、（ｃ）は、下面図であり、（ｄ）は、右面図であり、（ｅ）は、左面図であり、（ｆ）は、後面図である。
【図４】（ａ）は、光コンセント部の前面図であり、（ｂ）は、後面図であり、（ｃ）は、同図（ａ）のＡ−Ａ線における概略断面図である。
【図５】（ａ）は、光コンセント部を前面側から見た斜視図であり、（ｂ）は、光コンセント部を前面側から見た分解斜視図であり、（ｃ）は、光コンセント部を後面側から見た斜視図であり、（ｄ）は、光コンセント部を後面側から見た分解斜視図である。
【符号の説明】
【００４７】
１    情報コンセント
２    モジュラ部
２０  第１の器体
２２ｂ  第１の差込口
３    光コンセント部
３０  第２の器体
３０ｂ  第２の差込口
３１  光接続具
４    取付枠
４ａ  開口窓
７    光ケーブル
Ｃ１  光ケーブル用接続口
【図１】
2007195293.tif 000003
【図２】
2007195293.tif 000004
【図３】
2007195293.tif 000005
【図４】
2007195293.tif 000006
【図５】
2007195293.tif 000007